【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
被写体像を撮影するイメージセンサから出力される画像信号をデジタル変換して得られる主画像のＲＡＷデータと、前記画像信号に基づいて主画像内に検出された人物の顔領域の領域情報を含む付属情報とからなる画像ファイルに対する画像処理装置において、
前記画像ファイルの前記付属情報に前記領域情報が含まれるか否かを判別する領域情報判断手段と、
前記領域情報判断手段により領域情報が含まれていないと判断されたときに、前記領域情報を参照しない第１の画像処理をＲＡＷデータに対して行う第１画像処理手段と、
前記領域情報判断手段により領域情報が含まれると判断されたときに、前記領域情報を参照して主画像内の顔領域を最適化する最適化処理を含む第２の画像処理をＲＡＷデータに対して行う第２画像処理手段とを備えることを特徴とする画像処理装置。
【請求項２】
前記最適化処理は、領域情報に示される人物の顔の階調が最適化されるように画像全体の階調を変換する階調変換処理を含むことを特徴とする請求項１記載の画像処理装置。
【請求項３】
前記最適化処理は、領域情報に示される人物の顔の色が最適化されるように画像全体のホワイトバランスを補正するホワイトバランス補正処理を含むことを特徴とする請求項１または２記載の画像処理装置。
【請求項４】
前記領域情報は、主画像中の複数の顔領域相互の優先順位を示す優先順位情報を有しており、前記第２画像処理手段は、優先順位情報に示される優先順位にしたがって優先順位の高い顔領域の画像部分が優先して最適化されるように前記最適化処理を行うことを特徴とする請求項１ないし３のいずれか１項に記載の画像処理装置。
【請求項５】
前記画像ファイルに含まれるＲＡＷデータを汎用性のあるデータ形式に変換して付加された付加画像データが前記画像ファイル中に含まれている場合に、前記画像ファイルから前記付加画像データを取り出し、該付加画像データに基づいて画像を表示する表示手段を備えたことを特徴とする請求項１ないし４のいずれか１項に記載の画像処理装置。
【請求項６】
外部からの指示に基づいて顔領域の優先順位を変更するための順位変更手段を備え、前記データ処理手段は、前記順位変更手段による順位変更が行われた際には、変更後の優先順位にしたがって前記最適化処理を行うことを特徴とする請求項４記載の画像処理装置。
【請求項７】
被写体像を撮影するイメージセンサから出力される画像信号をデジタル変換して得られる主画像のＲＡＷデータに付加され、前記画像信号に基づいて主画像内に検出された人物の顔領域の領域情報を含む付属情報に前記領域情報が含まれるか否かを判別し、
前記付属情報に領域情報が含まれていないと判断されたときには、領域情報を参照しない第１の画像処理をＲＡＷデータに対して行い、
前記付属情報に領域情報が含まれると判断されているときには、領域情報を参照して主画像内の顔領域を最適化する最適化処理を含む第２の画像処理をＲＡＷデータに対して行うことを特徴とする画像処理方法。
【請求項８】
前記最適化処理は、領域情報に示される人物の顔の階調が最適化されるように画像全体の階調を変換する階調変換処理を含むことを特徴とする請求項７記載の画像処理方法。
【請求項９】
前記最適化処理は、領域情報に示される人物の顔の色が最適化されるように画像全体のホワイトバランスを補正するホワイトバランス補正処理を含むことを特徴とする請求項７または８記載の画像処理方法。
【請求項１０】
前記領域情報は、主画像中の複数の顔領域相互の優先順位を示す優先順位情報を有しており、前記第２画像処理は、優先順位情報に示される優先順位にしたがって優先順位の高い顔領域の画像部分が優先して最適化されるように前記最適化処理を行うことを特徴とする請求項７ないし９のいずれか１項に記載の画像処理方法。
【請求項１１】
前記画像ファイルに含まれるＲＡＷデータを汎用性のあるデータ形式に変換して付加された付加画像データが前記画像ファイル中に含まれている場合に、前記画像ファイルから前記付加画像データを取り出し、該付加画像データに基づいて画像を表示することを特徴とする請求項７ないし１０のいずれか１項に記載の画像処理方法。
【請求項１２】
前記第２の画像処理は、外部からの指示に基づいて顔領域の優先順位が変更されたときには、外部からの指示による変更後の優先順位にしたがって前記最適化処理を行うことを特徴とする請求項１０記載の画像処理方法。
【請求項１３】
被写体像を撮影するイメージセンサから出力される画像信号をデジタル変換して得られる主画像のＲＡＷデータに付加され、前記画像信号に基づいて主画像内に検出された人物の顔領域の領域情報を含む付属情報に前記領域情報が含まれるか否かを判別する判別機能と、
前記付属情報に領域情報が含まれていないと判断されたときに、前記領域情報を参照しない第１の画像処理をＲＡＷデータに行う第１画像処理機能と、
前記付属情報に領域情報が含まれると判断されたときに、前記領域情報を参照して主画像内の顔領域を最適化する最適化処理を含む第２の画像処理をＲＡＷデータに行う第２画像処理機能とをコンピュータに実現させることを特徴とする画像処理プログラム。
【請求項１４】
前記最適化処理は、領域情報に示される人物の顔の階調が最適化されるように画像全体の階調を変換する階調変換処理を含むことを特徴とする請求項１３記載の画像処理プログラム。
【請求項１５】
前記最適化処理は、領域情報に示される人物の顔の色が最適化されるように画像全体のホワイトバランスを補正するホワイトバランス補正処理を含むことを特徴とする請求項１３または１４記載の画像処理プログラム。
【請求項１６】
前記領域情報は、主画像中の複数の顔領域相互の優先順位を示す優先順位情報を有しており、
前記第２画像処理機能は、優先順位情報に示される優先順位にしたがって優先順位の高い顔領域の画像部分が優先して最適化されるように前記最適化処理を行うことを特徴とする請求項１３ないし１５のいずれか１項に記載の画像処理プログラム。
【請求項１７】
前記画像ファイルに含まれるＲＡＷデータを汎用性のあるデータ形式に変換して付加された付加画像データが前記画像ファイル中に含まれている場合に、前記画像ファイルから前記付加画像データを取り出し、該付加画像データに基づいて画像を表示する表示機能をコンピュータに実現させることを特徴とする請求項１３ないし１６のいずれか１項に記載の画像処理プログラム。
【請求項１８】
外部からの指示に基づいて顔領域の優先順位を変更するための順位変更機能をコンピュータに実現させ、前記第２画像処理機能は、前記順位変更機能による順位変更が行われた際には、順位変更機能による変更後の優先順位にしたがって前記最適化処理を行うことを特徴とする請求項１６記載の画像処理プログラム。
【手続補正２】
【補正対象書類名】明細書
【補正対象項目名】０００７
【補正方法】変更
【補正の内容】
【０００７】
上記目的を達成するために、請求項１記載の画像処理装置では、画像ファイルの前記付属情報に領域情報が含まれるか否かを判別する領域情報判断手段と、領域情報判断手段により領域情報が含まれていないと判断されたときに、領域情報を参照しない第１の画像処理をＲＡＷデータに対して行う第１画像処理手段と、領域情報判断手段により領域情報が含まれると判断されたときに、領域情報を参照して主画像内の顔領域を最適化する最適化処理を含む第２の画像処理をＲＡＷデータに対して行う第２画像処理手段とを備えたものである。
【手続補正３】
【補正対象書類名】明細書
【補正対象項目名】０００８
【補正方法】変更
【補正の内容】
【０００８】
請求項２記載の画像処理装置では、最適化処理が、領域情報に示される人物の顔の階調が最適化されるように画像全体の階調を変換する階調変換処理を含むようにしたものである。
【手続補正４】
【補正対象書類名】明細書
【補正対象項目名】０００９
【補正方法】変更
【補正の内容】
【０００９】
請求項３記載の画像処理装置では、最適化処理が、領域情報に示される人物の顔の階調が最適化されるように画像全体の階調を変換する階調変換処理を含むようにしたものである。
【手続補正５】
【補正対象書類名】明細書
【補正対象項目名】００１０
【補正方法】変更
【補正の内容】
【００１０】
請求項４記載の画像処理装置では、領域情報が、主画像中の複数の顔領域相互の優先順位を示す優先順位情報を有しており、第２画像処理手段が、優先順位情報に示される優先順位にしたがって優先順位の高い顔領域の画像部分が優先して最適化されるように前記最適化処理を行うものである。
【手続補正６】
【補正対象書類名】明細書
【補正対象項目名】００１１
【補正方法】変更
【補正の内容】
【００１１】
請求項５記載の画像処理装置では、画像ファイルに含まれるＲＡＷデータを汎用性のあるデータ形式に変換して付加された付加画像データが画像ファイル中に含まれている場合に、画像ファイルから付加画像データを取り出し、該付加画像データに基づいて画像を表示する表示手段を備えたものである。
【手続補正７】
【補正対象書類名】明細書
【補正対象項目名】００１２
【補正方法】変更
【補正の内容】
【００１２】
請求項６記載の画像処理装置では、外部からの指示に基づいて顔領域の優先順位を変更するための順位変更手段を備え、データ処理手段は、順位変更手段による順位変更が行われた際には、変更後の優先順位にしたがって最適化処理を行うようにしたものである。
【手続補正８】
【補正対象書類名】明細書
【補正対象項目名】００１３
【補正方法】変更
【補正の内容】
【００１３】
請求項７記載の画像処理方法では、被写体像を撮影するイメージセンサから出力される画像信号をデジタル変換して得られる主画像のＲＡＷデータに付加され、画像信号に基づいて主画像内に検出された人物の顔領域の領域情報を含む付属情報に領域情報が含まれるか否かを判別し、付属情報に領域情報が含まれていないと判断されたときには、領域情報を参照しない第１の画像処理をＲＡＷデータに対して行い、付属情報に領域情報が含まれると判断されているときには、領域情報を参照して主画像内の顔領域を最適化する最適化処理を含む第２の画像処理をＲＡＷデータに対して行うものである。
【手続補正９】
【補正対象書類名】明細書
【補正対象項目名】００１４
【補正方法】変更
【補正の内容】
【００１４】
請求項８記載の画像処理方法では、最適化処理が、領域情報に示される人物の顔の階調が最適化されるように画像全体の階調を変換する階調変換処理を含むようにしたものである。
【手続補正１０】
【補正対象書類名】明細書
【補正対象項目名】００１５
【補正方法】変更
【補正の内容】
【００１５】
請求項９記載の画像処理方法では、最適化処理が、領域情報に示される人物の顔の色が最適化されるように画像全体のホワイトバランスを補正するホワイトバランス補正処理を含むようにしたものである。
【手続補正１１】
【補正対象書類名】明細書
【補正対象項目名】００１６
【補正方法】変更
【補正の内容】
【００１６】
請求項１０記載の画像処理方法では、領域情報が、主画像中の複数の顔領域相互の優先順位を示す優先順位情報を有しており、第２画像処理が、優先順位情報に示される優先順位にしたがって優先順位の高い顔領域の画像部分が優先して最適化されるように最適化処理を行うようにしたものである。
【手続補正１２】
【補正対象書類名】明細書
【補正対象項目名】００１７
【補正方法】変更
【補正の内容】
【００１７】
請求項１１記載の画像処理方法では、画像ファイルに含まれるＲＡＷデータを汎用性のあるデータ形式に変換して付加された付加画像データが画像ファイル中に含まれている場合に、画像ファイルから付加画像データを取り出し、該付加画像データに基づいて画像を表示するものである。
【手続補正１３】
【補正対象書類名】明細書
【補正対象項目名】００１８
【補正方法】変更
【補正の内容】
【００１８】
請求項１２記載の画像処理方法では、第２の画像処理を、外部からの指示に基づいて顔領域の優先順位が変更されたときには、外部からの指示による変更後の優先順位にしたがって最適化処理を行うものである。
【手続補正１４】
【補正対象書類名】明細書
【補正対象項目名】００１９
【補正方法】変更
【補正の内容】
【００１９】
請求項１３記載の画像処理プログラムでは、被写体像を撮影するイメージセンサから出力される画像信号をデジタル変換して得られる主画像のＲＡＷデータに付加され、画像信号に基づいて主画像内に検出された人物の顔領域の領域情報を含む付属情報に領域情報が含まれるか否かを判別する判別機能と、付属情報に領域情報が含まれていないと判断されたときに、領域情報を参照しない第１の画像処理をＲＡＷデータに行う第１画像処理機能と、付属情報に領域情報が含まれると判断されたときに、領域情報を参照して主画像内の顔領域を最適化する最適化処理を含む第２の画像処理をＲＡＷデータに行う第２画像処理機能とをコンピュータに実現させるものである。
【手続補正１５】
【補正対象書類名】明細書
【補正対象項目名】００２０
【補正方法】変更
【補正の内容】
【００２０】
請求項１４記載の画像処理プログラムでは、最適化処理が、領域情報に示される人物の顔の階調が最適化されるように画像全体の階調を変換する階調変換処理を含むようにしたものである。
【手続補正１６】
【補正対象書類名】明細書
【補正対象項目名】００２１
【補正方法】変更
【補正の内容】
【００２１】
請求項１５記載の画像処理プログラムでは、最適化処理が、領域情報に示される人物の顔の色が最適化されるように画像全体のホワイトバランスを補正するホワイトバランス補正処理を含むようにしたものである。
【手続補正１７】
【補正対象書類名】明細書
【補正対象項目名】００２２
【補正方法】変更
【補正の内容】
【００２２】
請求項１６記載の画像処理プログラムでは、領域情報が、主画像中の複数の顔領域相互の優先順位を示す優先順位情報を有しており、第２画像処理機能が、優先順位情報に示される優先順位にしたがって優先順位の高い顔領域の画像部分が優先して最適化されるように最適化処理を行うようにしたものである。
【手続補正１８】
【補正対象書類名】明細書
【補正対象項目名】００２３
【補正方法】変更
【補正の内容】
【００２３】
請求項１７記載の画像処理プログラムでは、画像ファイルに含まれるＲＡＷデータを汎用性のあるデータ形式に変換して付加された付加画像データが前記画像ファイル中に含まれている場合に、画像ファイルから付加画像データを取り出し、該付加画像データに基づいて画像を表示する表示機能をコンピュータに実現させるようにしたものである。
【手続補正１９】
【補正対象書類名】明細書
【補正対象項目名】００２４
【補正方法】変更
【補正の内容】
【００２４】
請求項１８記載の画像処理プログラムでは、外部からの指示に基づいて顔領域の優先順位を変更するための順位変更機能をコンピュータに実現させ、第２画像処理機能が、順位変更機能による順位変更が行われた際には、順位変更機能による変更後の優先順位にしたがって最適化処理を行うようにしたものである。
【手続補正２０】
【補正対象書類名】明細書
【補正対象項目名】００２５
【補正方法】削除
【補正の内容】